(57)【要約】  中綿の偏りを防ぐことができ、不織布を重ねた場合に比べてコンパクトに収納でき、保温性や肌触りに優れ、生産性にも優れた防寒具を提供する。防寒具の一例である寝袋（１）は、裏地（２）及び表地（３）の間に位置した第１芯糸（１１）及び第１花糸（１２）を備えている。複数の第１芯糸（１１）は、第２方向（Ｙ）に間隔をあけて並べられ、第１方向（Ｘ）に延びている。第１芯糸を数本ずつ束ねて用いてもよい。複数の第１花糸（１２）は、各々の第１芯糸（１１）から該第１芯糸（１１）の周囲に広がり、中綿（４）と交絡している。
2020153305.tif 000002
【特許請求の範囲】
【請求項１】
使用者を覆う裏地と、  前記裏地を覆う表地と、  前記裏地及び前記表地の間に封入された中綿と、  前記裏地及び前記表地の間に位置し、第２方向に間隔をあけて並べられ、前記第２方向に交差する第１方向に延びる複数の第１線状部材と、を備え、  各々の第１線状部材は、    前記第１方向に延びる少なくとも一本の第１芯糸と    各々の前記第１芯糸から該第１芯糸の周囲に広がり、前記中綿と交絡する複数の第１花糸と、を含んでいる、中綿入り防寒具。
【請求項２】
各々の前記第１芯糸の両端部は、前記裏地又は前記表地に固定されている、請求項１に記載の中綿入り防寒具。
【請求項３】
前記裏地及び前記表地の間に位置し、前記第１方向に間隔をあけて並べられ、前記第２方向に延びる複数の第２線状部材をさらに備え、  各々の第２線状部材は、    前記第２方向に延びる少なくとも一本の第２芯糸と、    各々の前記第２芯糸から該第２芯糸の周囲に広がり、前記中綿と交絡する複数の第２花糸と、を含んでいる、請求項１又は２に記載の中綿入り防寒具。
【請求項４】
前記表地が、防水生地である、請求項１乃至３のいずれか一項に記載の中綿入り防寒具。 
【発明の詳細な説明】
【技術分野】
【０００１】  本発明は、裏地と表地との間に中綿を詰めた防寒具に関する。
【背景技術】
【０００２】  寝袋やダウンジャケット等の防寒具は、裏地と表地との間に中綿を詰めた構造をしている。そのような構造の防寒具は、動かない空気の層を作り出す中綿の厚みに温かさが左右される。中綿が偏ると、厚みが薄い部位において保温力が低下する。例えば、寝袋において中綿が偏らないように、裏地と表地とを縫い合わせたり（キルティング）、裏地と表地とを繋ぐ布帛片を隔壁として縫い付けたりして、中綿を詰める生地の隙間を複数の気室に分割することが知られている。【０００３】  中綿の偏りを防ぐことができる反面、キルティングを施すと裏地と表地とが接近し、ロフト（かさ高さ）がつぶれて寝袋の保温力が低下する。隔壁を追加すると寝袋が重くなる。隔壁を縫い付けたり、縫い目に防水のシームテープを貼り付けたり、複数回に分けて中綿を詰めたりする工程が増えるので、製造工程における作業者の手間が大きい。そのため、裏地及び表地の間に多孔性の不織布を重ねて、不織布に中綿を摩擦係止させた寝袋が提案されている（例えば、特許文献１及び２参照）。
【先行技術文献】
【特許文献】
【０００４】
【特許文献１】特開２０００−７００９８号公報
【特許文献２】特開２０１８−８０４２３号公報
【発明の概要】
【発明が解決しようとする課題】
【０００５】  不織布は、表面の孔や毛羽が小さすぎるため、中綿と交絡して保持する力が微弱である。特許文献１及び２に記載の構成では、中綿の偏りを十分に防ぐことができない。加えて、不織布で裏打ちされると生地が固くなってしまう。ロフトが小さくなって寝袋の保温力が低下する。寝袋のクッション性も損なわれてしまう。そこで、本発明は、中綿の偏りを防ぐことができ、不織布を重ねた場合に比べてコンパクトに収納でき、保温性や肌触りに優れ、生産性にも優れた防寒具を提供することを目的とする。
【課題を解決するための手段】
【０００６】  本発明の一態様に係る中綿入り防寒具は、使用者を覆う裏地と、裏地を覆う表地と、裏地及び表地の間に封入された中綿と、複数の第１線状部材と、を備えている。複数の第１線状部材は、裏地及び表地の間に位置し、第２方向に間隔をあけて並べられ、第２方向に交差する第１方向に延びている。各々の第１線状部材は、第１方向に延びる少なくとも一本の第１芯糸と、各々の第１芯糸から該第１芯糸の周囲に広がり、中綿と交絡する複数の第１花糸と、を含んでいる。【０００７】  この態様によれば、各々の第１芯糸から周囲に広がる第１花糸に中綿を保持して、中綿の偏りを防ぐことができる。中綿の厚みの薄い部位が生じにくいため、防寒具の保温性に優れている。第１芯糸を並べても、不織布を重ねた場合に比べて生地が軽量で固くなりにくい。生地のクッション性が損なわれることがないため、保温性や肌触りに優れた防寒具を提供できる。不織布を重ねた場合に比べてコンパクトに収納できる。隔壁を縫い付けたり、各々の隔壁の間に中綿を小分けして詰めたりする必要がないため、防寒具の生産性に優れている。【０００８】  上記態様において、各々の第１芯糸の両端部が、裏地又は表地に固定されていてもよい。【０００９】  この態様によれば、各々の第１芯糸が固定されて移動しないため、第１芯糸から広がる第１花糸に保持された中綿が移動しにくい。中綿の偏りをより確実に防ぐことができる。両端部であれば、二点だけで第１芯糸を延ばした状態に固定できる。縫い目の数を最小限にできるので、肌触りに優れた防寒具を構成できる。なお、第１芯糸を三点以上で固定してもよい。【００１０】  上記態様において、複数の第２線状部材をさらに備えていてもよい。複数の第２線状部材は、裏地及び表地の間に位置し、第１方向に間隔をあけて並べられ、第２方向に延びている。各々の第２線状部材は、第２方向に延びる少なくとも一本の第２芯糸と、各々の第２芯糸から該第２芯糸の周囲に広がり、中綿と交絡する複数の第２花糸と、を含んでいる。【００１１】  この態様によれば、第１及び第２線状部材が格子状に張り巡らされる。第１線状部材に加えて第２線状部材に中綿を保持できるため、より確実に中綿の偏りを防ぐことができる。【００１２】  上記態様において、表地が防水生地であってもよい。【００１３】  この態様は、第１花糸によって中綿の偏りを防ぐため、隔壁やキルティングのための縫い目を省略できる。防水生地に隔壁を縫い付ける場合、縫い目から浸水しないようにシームテープで塞ぐ必要があった。この態様は、シームテープを貼る必要がないため、防水生地との組み合わせにとりわけ好適である。シームテープを省略して防寒具を軽量化できる。
【発明の効果】
【００１４】  本発明によれば、中綿の偏りを防ぐことができ、不織布を重ねた場合に比べてコンパクトに収納でき、保温性や肌触りに優れ、生産性にも優れた防寒具を提供することができる。
【図面の簡単な説明】
【００１５】
【図１】図１は、本発明の一実施形態の寝袋を示す図である。
【図２】図２は、図１に示された寝袋から表地及び中綿を取り除いてモール糸を露出させた状態を示す図である。
【図３】図３は、図１に示された寝袋の内部構造の一例を模式的に示す断面図である。
【図４】図４は、縫い付けられたモール糸にダウンを保持させて裏地を鉛直方向に吊るした状態を示す図である。
【発明を実施するための形態】
【００１６】  添付図面を参照して、本発明の好適な実施形態について説明する。なお、各図において、同一の符号を付したものは、同一又は同様の構成を有する。図１乃至図４において、中綿入り防寒具の一例として中綿４を詰めた寝袋１を開示する。ただし、中綿入りの防寒具は、寝袋１に限定されず、布団等の中綿入り寝具であってもよいし、ダウンジャケットや手袋等の中綿入り衣料品であってもよい。
【００１７】  本発明の一実施形態の防寒具（例えば、寝袋１）は、平行又は格子状に並べられたモール糸１０，２０によってダウン等の中綿４の偏りを防ぐことが特徴の一つである。これまで、モール糸を寝袋等の防寒具に使用した例はあっても、保温性や復元性に着目した中綿としての使用に限られていた（例えば、特開２０１４−２２６３３６号公報及び特開２０１２−６７４３０号公報参照）。
【００１８】  本発明の一実施形態の防寒具は、中綿４の偏りを防ぐ構成としてモール糸１０，２０を用いている。モール糸１０，２０は、中綿４の偏りを防ぐ目的で用いられていた従来の構成である隔壁よりも軽くしやすく、しかも空気を蓄えることができる。隔壁に替えてモール糸１０，２０を用いることにより、軽量でロフトが大きな中綿入り防寒具を提供できる。生地に不織布を重ねる必要がないため、裏地２や表地３が柔らかく肌触りに優れた中綿入り防寒具を提供できる。以下、図１乃至図４を参照して各構成について詳しく説明する。
【００１９】  図１は、本発明の一実施形態の寝袋１を示す図であり、図２は、図１に示された寝袋１から表地３及び中綿４を取り除いてモール糸１０，２０を露出させた状態を示す図である。図示した例では、マミー型の寝袋（独：シュラフザック、英：スリーピングバッグ）を開示している。ただし、寝袋１の外観は、マミー型に限定されず、封筒型であってもよいし、その他であってもよい。
【００２０】  図３は、寝袋１の内部構造の一例を模式的に示す断面図である。図３に示すように、寝袋１は、例えば、使用者を覆う（包む）裏地２と、裏地２を覆う表地３と、裏地２及び表地３の間に詰められた中綿（中綿材、保温材）４と、中綿４の偏りを防ぐ複数のモール糸（意匠撚糸）１０，２０と、を備えている。
【００２１】  裏地２及び表地３は、合成繊維を織成した軽くて薄い生地であり、例えば、７デニールのナイロン糸を織成したナイロン地である。裏地２及び表地３の生地は、中綿４が吹き出さないようにダウンプルーフ加工が施されていてもよい。表地３の生地は、中綿４が濡れないように撥水加工が施されてもよいし防水生地であってもよい。
【００２２】  裏地２は、使用者に対向する第１面２Ａと、第１面２Ａとは反対側の第２面２Ｂと、を有している。表地３は、裏地２に対向する第３面３Ａと、第３面３Ａとは反対側の第４面３Ｂと、を有している。表地３は、裏地２と間隔をあけて裏地２に対向している。中綿４は、裏地２の第２面２Ｂと、表地３の第３面３Ａとの間に区画された空間に封入されている。
【００２３】  中綿４の一例は、ダウン（羽毛）である。ただし、中綿４は、ダウンに限定されず、ポリエステル繊維等の化繊綿であってもよいし、羊毛であってもよい。本明細書に開示された構成は、モール糸１０，２０に交絡して移動が阻害される繊維であれば、種々の中綿４に用いることができる。各々のモール糸１０は、蛇行しながら第１方向Ｘに延びる第１芯糸１１と、第１芯糸１１から四方八方に不規則に延びる複数の第１花糸１２と、を備えている。
【００２４】  同様に、各々のモール糸２０は、蛇行しながら第２方向Ｙに延びる第２芯糸２１と、第２芯糸２１から四方八方に延びる複数の第２花糸２２と、を備えている。第１及び第２方向Ｘ，Ｙは、いずれも裏地２に沿う方向である。表地３は、裏地２に略平行であるため、第１及び第２方向Ｘ，Ｙは、いずれも表地３に沿う方向でもある。
【００２５】  第１及び第２花糸１２，２２は、第１及び第２芯糸１１，２１の周囲において三次元的に広がっている。モール糸１０，２０は、第１及び第２花糸１２，２２に空気を蓄えて生地の厚み方向Ｚにかさ高いため、寝袋１のロフトを大きくできる。しかも、三次元的に広がるモール糸１０，２０は、二次元的に広がる不織布よりも大量の中綿４を保持することができる。
【００２６】  再び、図２を参照して説明する。図示した例では、蛇行しながら第１方向Ｘに延びるモール糸１０が三本ずつ束ねられて第１線状部材１０Ｓを構成している。第１線状部材１０Ｓは、延在方向に交差する第２方向Ｙに５０ｍｍずつ間隔をあけて複数並べられている。同様に、蛇行しながら第２方向Ｙに延びるモール糸２０が三本ずつ束ねられて第２線状部材２０Ｓを構成している。第２線状部材２０Ｓは、延在方向に交差する第１方向Ｘに５０ｍｍずつ間隔をあけて複数並べられている。
【００２７】  換言すると、複数のモール糸１０は、向きを揃えた状態で数本ずつ束ねられ、各々の束が間隔をあけて並べられている。同様に、複数のモール糸２０は、向きを揃えた状態で数本ずつ束ねられ、各々の束が間隔をあけて並べられている。モール糸２０の向きは、モール糸１０の向きと交差している。
【００２８】  なお、各々の第１線状部材１０Ｓに含まれるモール糸１０の本数は、三本ずつに限定されず、二本以下であってもよいし、四本以上であってもよい。同様に、各々の第２線状部材２０Ｓに含まれるモール糸２０の本数は、三本ずつに限定されない。いずれか一本のモール糸１０，２０が切れたとき、残りのモール糸１０，２０で中綿４を保持できるため、各々の第１線状部材１０Ｓ，２０Ｓに含まれるモール糸１０，２０の本数は、二本以上が好ましい。各々の第１線状部材１０Ｓ，２０Ｓに含まれるモール糸１０，２０の本数は、封入される中綿４の量に合わせて適宜増減できる。
【００２９】  図示した例では、第１方向Ｘが使用者から見て縦方向であり、第２方向Ｙが使用者から見て横方向である。ただし、第１及び第２方向Ｘ，Ｙは、図示した例に限定されない。第１方向Ｘが使用者から見て右上がりの斜め方向であり、第２方向Ｙが使用者から見て右下がりの斜め方向であってもよい。さらに、モール糸の延在方向は、二方向に限定されない。例えば、第１及び第２線状部材１０Ｓ，２０Ｓに交差する第３線状部材（数本ずつ束ねられたモール糸の束）を加えて、それらが生地の厚み方向Ｚに沿う軸周りに６０度ずつ回転させた三方向に延びるように構成してもよい。
【００３０】  各々のモール糸１０，２０の端部すなわち前述した第１及び第２芯糸１１，１２の端部は、裏地２に縫い付けられて固定されている。図示しないが、各々のモール糸１０，２０の端部を表地３に固定してもよい。前述した第１及び第２線状部材１０Ｓ，２０Ｓの間隔は、例えば、生地２，３に縫い付けられて固定された第１及び第２線状部材１０Ｓ，２０Ｓの端部における間隔である。裏地２の第２面２Ｂと表地３の第３面３Ａと双方にモール糸１０，２０を張り巡らせれば、生地の厚み方向Ｚにおいてモール糸１０，２０の本数が増える。保持できる中綿４の量が増えて、寝袋１のロフトが大きくなる。
【００３１】  図４は、縫い付けられたモール糸１０，２０にダウンを保持させて裏地２を鉛直方向に吊るした状態を示す図である。図示した例では、中綿４が８００フィルパワーのダウンであり、各々の第１線状部材１０Ｓが一本のモール糸１０を含み、各々の第２線状部材２０Ｓが一本のモール糸２０を含んでいる。隣り合う第１及び第２線状部材１０Ｓ，２０Ｓの間隔が２０ｍｍ程度である。なお、隣り合う第１及び第２線状部材１０Ｓ，２０Ｓの間隔は、中綿４の種類に応じて適宜選択できる。寝袋に広く用いられるダウンや化繊綿を好適に保持するため、隣り合う第１線状部材１０Ｓの間隔は、５ｍｍ以上且つ８０ｍｍ以下であることが好ましい。
【００３２】  隣り合う第１線状部材１０Ｓの間隔が５ｍｍ以上であれば、５ｍｍ以下の中綿４をつぶさずに収容できる。中綿４は、第１花糸１２に交絡して直接的に保持されるだけでなく、第１花糸１２と交絡した他の中綿４に交絡して間接的に保持される。そのため、隣り合う第１線状部材１０Ｓの間隔が８０ｍｍ以下であれば、自由に移動できる中綿４の割合を減らして、中綿４の偏りを防ぐことができる。
【００３３】  以上のように構成された本実施形態の寝袋１は、モール糸１０，２０を備えている。本実施形態によれば、図４に示すように、モール糸１０，２０によって中綿４の偏りを防ぐことができる。中綿４の厚みの薄い部位が生じにくいため、寝袋１の保温性に優れている。モール糸１０，２０を生地に固定しても、不織布を固定した場合に比べて生地が固くなりにくい。不織布を重ねた場合に比べてコンパクトに収納できる。生地のクッション性が損なわれることがないため、本実施形態は、保温性や肌触りに優れている。隔壁を縫い付けたり、各々の隔壁の間に中綿を小分けして詰めたりする必要がないため、寝袋１の生産性に優れている。
【００３４】  本実施形態は、モール糸１０，２０によって中綿４の偏りを防ぐため、隔壁を省略できる。防水生地に隔壁を縫い付ける場合、縫い目から浸水しないようにシームテープで塞ぐ必要があった。本実施形態では、シームテープを貼る必要がないため、表地３が防水生地にするだけで、防水仕様の寝袋１を簡単に構成できる。
【００３５】  本実施形態は、延在方向が異なるモール糸１０，２０が格子状に張り巡らされているため、より確実に中綿４の偏りを防ぐことができる。各々のモール糸１０，２０は、両端部の二点で固定されている。縫い目の数を最小限にできるので、肌触りに優れた寝袋を構成できる。なお、各々のモール糸１０，２０を三点以上で固定してもよい。
【００３６】  以上説明した実施形態は、本発明の理解を容易にするためのものであり、本発明を限定して解釈するためのものではない。実施形態が備える各要素並びにその配置、材料、条件、形状及びサイズ等は、例示したものに限定されるわけではなく適宜変更することができる。また、異なる実施形態で示した構成同士を部分的に置換し又は組み合わせることが可能である。
【符号の説明】
【００３７】  １…寝袋（中綿入り防寒具の一例）、２…裏地、３…表地、４…中綿、１０，２０…モール糸、１０Ｓ…第１線状部材、１１…第１芯糸、１２…第１花糸、２０Ｓ…第２線状部材、２１…第２芯糸、２２…第２花糸、Ｘ…第１方向、Ｙ…第２方向、Ｚ…厚み方向。 
【図１】
2020153305.tif 000003
【図２】
2020153305.tif 000004
【図３】
2020153305.tif 000005
【図４】
2020153305.tif 000006
【国際調査報告】
2020153305.tif 000007
2020153305.tif 000008
2020153305.tif 000009
2020153305.tif 000010